(57)【要約】【課題】  しかし、各チャネルに一義的に通過帯域を固定すると、一般には能率的であるが、非能率な場合も生じる。たとえば、システムで使用される光チャネルの信号速度が異なる場合を想定する。  この条件において、高ビットレートの信号の場合、ミラーからはみ出し、ミラーからの反射光出力を低下させるとともに信号歪を発生させてしまう。  発明の課題は任意にチャネルの位置を変えた場合固定の波長範囲のみミラで反射されるため、システムで使用される光チャネルの信号速度が異なる場合にチャネル入れ替えを損失なく任意に行う技術を提供することである。【解決手段】  光スイッチに、テーパー状に構成され軸回転するミラーを有するミラー素子と、ミラーを平行移動させるミラーコントローラとを備える。【選択図】図５
2006178454.tif 000002
【特許請求の範囲】
【請求項１】
回転可能で、光を反射する幅が長手方向に変化する形状のミラーを有するミラー素子と、
該ミラー素子を平行移動させるミラーコントローラと
を備えた光スイッチ。
【請求項２】
請求項１において、該ミラー素子は光チャネルに関連付けられていることを特徴とする光スイッチ。
【請求項３】
回転可能で、光を反射する幅が長手方向に変化する形状のミラーを有する第１のミラー素子と、
回転可能で、光を反射する幅が長手方向に変化する形状のミラーを有する
第２のミラー素子と、
該第１と該第２のミラー素子を平行移動させるコントローラを備え、
該第１と該第２のミラー素子は隣接し、対向するよう設けられたことを特徴とする光スイッチ。
【請求項４】
回転可能で、光を反射する幅が長手方向に変化する形状のミラーを有する第１のミラー素子と、
回転可能で、光を反射する幅が長手方向に変化する形状のミラーを有する
第２のミラー素子と、
該第１と該第２のミラーを平行移動させるコントローラを備え、
該第１と該第２のミラーは隣接し、同一方向となるよう設けられたことを特徴とする光スイッチ。
【発明の詳細な説明】
【技術分野】
【０００１】
本発明は、光スイッチの分野に関し、特に反射装置を使用する光チャネルの指向に関する。
【背景技術】
【０００２】
大都会地域などの地域のための通信ネットワークはリング・トポロジーを持つことができる。一例として、同期光ネットワーク（ＳＯＮＥＴ）システムは、ノードを有するリングを含むことができる。動作時に、パケットのチャネルが該ノードを通って進む。ノードは、該リングを通るようにパケットを指向させるためにチャネルをアド或いはドロップことができる。
【０００３】
ノードは、チャネルをアド或いはドロップために使用される反射装置を有する波長装置を含むことができる。公知技術の構成において、反射装置は、各チャネルのために固定された通過帯域を有する。
【特許文献１】米国特許６５４９６９９号明細書
【発明の開示】
【発明が解決しようとする課題】
【０００４】
しかし、各チャネルに一義的に通過帯域を固定すると、一般には能率的であるが、非能率な場合も生じる。たとえば、システムで使用される光チャネルの信号速度が異なる場合を想定する。
【０００５】
この条件において、高ビットレートの信号の場合、ミラーからはみ出し、ミラーからの反射光出力を低下させるとともに信号歪を発生させてしまう。
【０００６】
発明の課題は任意にチャネルの位置を変えた場合固定の波長範囲のみミラで反射されるため、システムで使用される光チャネルの信号速度が異なる場合にチャネル入れ替えを損失なく任意に行う技術を提供することである。
【課題を解決するための手段】
【０００７】
課題を解決するための第１の手段として、光スイッチは回転可能で、光を反射する幅が長手方向に変化する形状のミラーを有するミラー素子と、該ミラー素子を平行移動させるミラーコントローラとを備える。
【０００８】
課題を解決するための第２の手段として、第２の手段において、該ミラー素子は光チャネルに関連付けられる。
【０００９】
課題を解決するための第３の手段として、光スイッチは回転可能で、光を反射する幅が長手方向に変化する形状のミラーを有する第１のミラー素子と、
回転可能で、光を反射する幅が長手方向に変化する形状のミラーを有する第２のミラー素子と、
該第１と該第２のミラー素子を平行移動させるコントローラを備え、
該第１と該第２のミラー素子は隣接し、対向するよう設ける。
【００１０】
課題を解決するための第４の手段として、光スイッチは回転可能で、光を反射する幅が長手方向に変化する形状のミラーを有する第１のミラー素子と、
回転可能で、光を反射する幅が長手方向に変化する形状のミラーを有する
第２のミラー素子と、
該第１と該第２のミラーを平行移動させるコントローラを備え、
該第１と該第２のミラーは隣接し、同一方向となるよう設ける。
【発明の効果】
【００１１】
本発明によれば、光信号を指向させるための従来の技術に関連する不利益及び問題を減少させ或いは無くすることができる。
【００１２】
本発明の一実施態様によれば、１つ以上の光チャネルを指向させるための装置は１つ以上のマイクロミラー素子を含む。マイクロミラー素子は、１つのミラーと１つのミラー・コントローラとを有する。該ミラーは、第１相互作用域で光を反射して１つの光チャネルについて第１通過帯域を生じさせ、第２相互作用域で光を反射して該光チャネルについて第２通過帯域を生じさせるように作用することができる。該ミラー・コントローラは、光が該第１通過帯域を生じさせる該第１相互作用域に該ミラーを位置決めし、また、光が該第２通過帯域を生じさせる該第２相互作用域と相互作用する第２位置に該ミラーを位置決めするように動作する。
【００１３】
本発明の或る実施態様は、技術上の利点を一つ以上提供することができる。一実施態様の１つの技術上の利点は、波長装置の反射装置が該波長装置の別々のチャネルについて別々の通過帯域を持ち得ることであろう。いろいろなデータ転送速度に配慮してその別々の通過帯域を使用することができ、それはスペクトル効率を改善することができる。一実施態様の他の１つの技術上の利点は、該反射装置を調整して１つのチャネルの通過帯域を変更し得ることであろう。
【００１４】
本発明の或る実施態様は、上記の技術的利点のうちのいずれをも含まず、或いはその一部を、或いは全部を含み得る。当業者にとっては、ここに含まれる図、説明、及び請求項から、他の１つ以上の技術的利点が明白であろう。
【発明を実施するための最良の形態】
【００１５】
本発明の実施態様及びその利点は、図面の図１ないし７を参照すれば最善に理解することができ、いろいろな図面の同様の部分及び対応する部分に同様の数字が用いられている。
【００１６】
図１は、パケットを送るためのリング２０を含むネットワーク１０の一実施態様を示すブロック図である。この実施態様では、リング２０は、チャネルをアド或いはドロップことのできる反射装置を有する波長装置を含むことができる。反射装置は、波長装置の別々のチャネルについて別々の通過帯域を持つことができる。反射装置は、チャネルの通過帯域を変化させるために容易に調整され得る。
【００１７】
図示されている実施態様では、ネットワーク１０はパケットで情報を伝える。パケットは伝送のために特定の方法で組織された一束のデータを含むことができ、フレームは伝送のために特定の方法で組織された１つ以上のパケットのペイロードを含むことができる。パケットは、音声、データ、オーディオ、ビデオ、マルチメディア、他の情報、或いはこれらの何らかの組み合わせなどの適切な情報を運ぶことができる。パケットは、イーサネットなどの任意の適切なプロトコルを用いてＳＯＮＥＴプロトコルで伝達される時分割多重（ＴＤＭ）パケットなどの任意の適切な多重化されたパケットを含むことができる。
【００１８】
ネットワーク１０は、図示されているようにアクセス装置２４に結合されたリング２０を含む。リングという用語は、リング・トポロジーを有する通信装置のネットワークを指すことができる。一実施態様では、リング２０は光ファイバー・リングを含むことができる。例えば、リング２０はＳＯＮＥＴ装置を含む弾力的なパケット・リング（ｒｅｓｉｌｉｅｎｔ  ｐａｃｋｅｔ  ｒｉｎｇ（ＲＰＲ））を含むことができる。リング２０はノード２８を有する。ノードという用語は、リングへ、リングから、或いはリングへ且つリングからパケットを伝えることができるリングの箇所を指すことができる。
【００１９】
チャネルは、リング２０を通してパケットを伝達する。チャネルという用語は、定められた帯域幅を有する通信経路を指すことができる。例えば、チャネルは、特定の波長範囲を有する光チャネルを指すことができる。チャネル間隔は、約１００ヘルツないし約１００ギガヘルツであってよい。各ノード２８で、１つのノード２８に宛てられていないパケットはそのノード２８を通過し、そのノード２８で待ち行列に入れられない。
【００２０】
図示されている実施態様では、ノード２８は高密度波長分割マルチプレクサー（ｄｅｎｓｅ  ｗａｖｅｌｅｎｇｔｈ  ｄｉｖｉｓｉｏｎ  ｍｕｌｔｉｐｌｅｘｅｒ（ＤＷＤＭ））を含むことができる。図２を参照して一例をより詳しく説明する。ＤＷＤＭは、波長選択スイッチ或いは波長ブロッカーなどの波長装置を含むことができる。波長装置という用語は、チャネルをスイッチングし、アド、ドロップ、或いはその他の方法でチャネルを操作する装置を指すことができる。波長装置の例について図３及び４を参照してより詳しく説明する。
【００２１】
一実施態様では、波長装置は、光チャネルを指向させるために使用される反射装置を含むことができる。反射装置は１つのチャネルに夫々対応する素子を含む。チャネルの通過帯域という用語は、該チャネルに対応する該素子により通過させられる波長範囲を指すことができる。該実施態様では、チャネルの通過帯域を変化させるために該素子を調整することができる。図５ないし７を参照して素子の例をより詳しく説明する。
【００２２】
チャネルについての可変通過帯域は、帯域幅のより効率的な使用に資することができる。一例として、いろいろなデータ転送速度を使用する複数のチャネルは、通常、いろいろな帯域幅の複数の通過帯域を利用する。低いデータ転送速度を有するチャネルは小さな通過帯域を使用することができる。従って、データ転送速度の通過帯域に配慮してチャネルの通過帯域を調整することができる。例えば、毎秒１０ギガビットのデータ転送速度を有するチャネルは、毎秒４０ギガビットのデータ転送速度を有するデータチャネルより小さな通過帯域を必要とするであろう。
【００２３】
アクセス装置２４は、リング２０のノード２８と通信するように動作し得る任意の適切な装置を含むことができる。アクセス装置の例は、アクセス・ゲートウェイ、エンドポイント、ソフトスイッチ・サーバー、トランク・ゲートウェイ、ネットワーク、アクセス・サービスプロバイダー、インターネット・サービスプロバイダー、或いはその他の、リング２０のノード２８と通信するように動作し得る装置を含む。
【００２４】
本発明の範囲から逸脱せずにネットワーク１０に対して改造、付加或いは省略を行うことができる。ネットワーク１０のコンポーネントは具体的な必要に応じて統合され或いは分離され得る。更に、ネットワーク１０の動作は、より多くの、或いはより少数の、或いは他の装置により実行され得る。更に、ネットワーク１０の動作は任意の適切な論理を用いて実行され得る。論理という用語は、ハードウェア、ソフトウェア、或いはハードウェア及びソフトウェアの任意の組み合わせを指すことができる。この文書で使用されるとき、「各」は、１つの集合の各構成要素、又は１つの集合の１つの部分集合の各構成要素に関連する。
【００２５】
図２は、図１のネットワーク１０のノード２８で使用され得る光アド／ドロップノード５０の一実施態様を示す線図である。光アド／ドロップノード５０は、いろいろなチャネルのためのいろいろな通過帯域を持つことのできる波長選択スイッチを含むことができる。
【００２６】
図示されている実施態様では、光アド／ドロップノード５０は、図示されているように結合されている電力増幅器５２、分散補償ファイバー（ＤＣＦ）５４、波長選択スイッチ（ＷＳＳ）５６、トランスミッター６０、マルチプレクサー６２、デマルチプレクサー６４、及びレシーバー６８を含む。１つの具体的動作態様では、光アド／ドロップノード５０は波長λ１ないしλｎを有する複数のチャネルを有する１つの信号を受信する。電力増幅器５２ａは、受信された信号を増幅する。分散補償ファイバー５４ａは、分散を減少させるために使用され得る。
【００２７】
波長選択スイッチ５６ａは、受信された信号を、１つ以上の維持されるチャネル７０ａ及び１つ以上の落とされるチャネル７０ｂを含む別々のチャネル７０に多重分離する。一実施態様では、波長選択スイッチ５６ａは、いろいろなチャネルのためのいろいろな通過帯域を持つことのできる反射装置を含むことができる。デマルチプレクサー６４は、落とされるチャネル７０ｂを多重分離して、落とされるチャネル７０ｂをレシーバー６８に送る。トランスミッター６０は、信号をマルチプレクサー６２に送る。マルチプレクサー６２は、該チャネルを多重化して１つ以上のアドチャネル７０ｃを生じさせる。
【００２８】
波長選択スイッチ５６ｂは、波長選択スイッチ５６ａから受信された維持されるチャネル７０ａと、マルチプレクサー６２から受信されたアドチャネル７０ｃとを多重化する。一実施態様では、波長選択スイッチ５６ｂは、いろいろなチャネルのためのいろいろな通過帯域を有することのできる反射装置を含むことができる。電力増幅器５２ｂは、多重化されたチャネルを増幅して、波長λ１ないしλｎを含む１つの出力信号を生じさせる。分散制御ファイバー５４ｂは、電力増幅器５２ｂの分散を減少させるために使用され得る。
【００２９】
本発明の範囲から逸脱せずに光アド／ドロップノード５０に対して改造、付加或いは省略を行うことができる。光アド／ドロップノード５０のコンポーネントは具体的な必要に応じて統合され或いは分離され得る。更に、光アド／ドロップノード５０の動作は、より多くの、或いはより少数の、或いは他の装置により実行され得る。
【００３０】
図３は、図２の光アド／ドロップノード５０と共に使用され得る波長選択スイッチ１００の一実施態様を示す線図である。図示されている実施態様では、波長選択スイッチ１００は、図示されているように結合された入力１１０と、複数の出力１１２と、第１収束装置１１６と、第２収束装置１１８と、分散性装置１２０と、反射装置１２４とを含む。
【００３１】
１つの具体的動作態様では、多重化された複数のチャネルを有する１つの信号が入力１１０で受信される。第１収束装置１１６は、受信された信号を第２収束装置１１８の方に収束させる。収束装置という用語は、光ビームを収束させ或いはデフォーカスさせる装置を指すことができる。収束装置例は、レンズ及び凹面鏡を含む。第１収束装置１１６は、アングル・ツー・オフセット（ａｎｇｌｅ−ｔｏ−ｏｆｆｓｅｔ）レンズなどのレンズを含むことができ、第２収束装置１１８は凹面鏡を含むことができる。
【００３２】
第２収束装置１１８は、受信された信号を分散性素子１２０に指向させる。分散性素子という用語は、複数のチャネルを多重分離し或いは多重化する装置を指すことができ、例えば反射格子、透過型格子、或いはプリズムを含むことができる。図示されている実施態様では、分散性素子１２０は該信号を複数のチャネルに分離し、１つの格子を含むことができる。該チャネルは第２収束装置１１８の方に指向させられ、これは該チャネルを反射装置１２４の方に反射する。
【００３３】
反射装置１２４は該チャネルを選択的に特定の出力の方に指向させる。一例として、或るチャネルは出力１１２ａの方に指向させられ、他のチャネルは出力１１２ｂの方に指向させられる。本発明の一実施態様では、反射装置１２４は、いろいろなチャネルについていろいろな通過帯域を有することができる。
【００３４】
本発明の範囲から逸脱せずにスイッチ１００に対して改造、付加或いは省略を行うことができる。スイッチ１００のコンポーネントは具体的な必要に応じて統合され或いは分離され得る。更に、スイッチ１００の動作は、より多くの、或いはより少数の、或いは他の装置により実行され得る。
【００３５】
図４は、図２の光アド／ドロップノード５０と共に使用され得る波長ブロッカー１３０の他の実施態様を示す線図である。図示されている実施態様では、波長ブロッカー１３０は、図示されているように結合されたサーキュレーター１３２、収束装置１３４、分散性装置１３６、及び反射装置１３８を含む。
【００３６】
１つの具体的動作態様では、サーキュレーター１３２は複数のチャネルを有する信号を受信し、その受信された信号を収束装置１３４の方に指向させる。図示されている実施態様では、収束装置１３４はレンズを含む。収束装置１３４は、該信号を分散性素子１３６の方に収束させる。図示されている実施態様では、分散性素子１３６は格子を含む。分散性装置１３６は、該信号の複数のチャネルを分離し、それらの信号を収束装置１３４の方に指向させる。収束装置１３４は、それらのチャネルを反射装置１３８の方に収束させる。
【００３７】
反射装置１３８は、選択されたチャネルを、収束装置１３４を通過させて分散性素子１３６へ、更に収束装置１３４を逆に通過させてサーキュレーター１３２の方に指向させる。本発明の一実施態様では、反射装置１２４は、いろいろなチャネルについてのいろいろな通過帯域を持つことができる。サーキュレーター１３２は、選択されたチャネルを出力する。
【００３８】
本発明の範囲から逸脱せずにブロッカー１３０に対して改造、付加或いは省略を行うことができる。ブロッカー１３０のコンポーネントは具体的な必要に応じて統合され或いは分離され得る。更に、ブロッカー１３０の動作は、より多くの、或いはより少数の、或いは他の装置により実行され得る。
【００３９】
図５は、光スイッチとなる反射装置の一実施態様の一部分１５０を示す線図である。該実施態様では、反射装置は、該部分１５０を含むマイクロミラー素子のアレイを有する。マイクロミラー素子は、チャネルを指向させるように光ビームを反射するミラー１５４を有し、また、該ミラー１５４を位置決めするミラー・コントローラを有する。ミラーは任意の適切な反射面を含むことができ、それは実質的に滑らかで平らであって良い。
【００４０】
説明の目的のために、実質的に、ミラー１５４は反射面がミラーの長手方向で光を反射する幅が変化する形状である三角の形状（テーパー状や台形、菱形でも良い）を有し、部分１５０は２行のマイクロミラー素子を有し、１行は２つの素子を持っていてミラー１５４ａ，ｃは一方向を向いており、他方の行は１つの素子を持っていてミラー１５４ｂは反対方向を向いている。ミラー１５４ａ，ｃの頂角は同じ方向で、ミラー１５４ａ，ｂの頂角は反対方向向いている。しかし、ミラー１５４は任意の適切な形状或いはサイズを有することができる。更に、ミラー・アレイは例えばマイクロミラー素子の数百或いは数千の行及び列などの、任意の適切な数のマイクロミラー素子の任意の適切な数の行又は列を持つことができる。
【００４１】
ミラー１５４は、光チャネルを指向させるように動かされ、また独立に回転及び並進運動させられ得る。例えば、第１ミラー１５４の回転又は並進運動は第２ミラー１５４の回転または並進運動とは独立に行われ得る。図示されている実施態様では、出力ポートを選択するためにミラー１５４を軸１５６の周りに回転させることができる。例えば、角度θ１に位置するミラー１５４ａは１つのチャネルを１つの第１出力に指向させることができるが、角度θ２に位置するときには該チャネルを１つの第２出力に指向させることができる。反射されるチャネルの減衰を調整するためにミラー１５４を軸１５８の周りに回転させることができる。例えば、ミラー１５４ａは、角度α１に位置すると第１パワーを有するチャネルを生じさせるが、角度α２に位置すると第２パワーを有する該チャネルを生じさせることができる。
【００４２】
一実施態様では、ミラー１５４を、チャネルの通過帯域を変更するために軸１６０に平行な方向に並進運動させることができる。該実施態様では、ミラー１５４は、ミラー１５４のどの箇所に光ビームが当たるかによって異なる帯域幅の光ビームを反射する形状を持つことができる。説明されている例において示されているように、ミラー１５４は、辺１６２と底辺１６４とを有する二等辺三角形の形状などの実質的に三角形の形状を有する。辺１６２は底辺１６４より長くて良い。例えば、この三角形の高さは底辺１６４よりおよそ２倍、５倍、６倍、或いは１０倍以上長くて良い。チャネルの通過帯域を変更するために光ビームがミラー１５４に当たるところの位置を変更するためにミラー１５４を軸１６０に平行な方向に移動させることができる。図６及び図７を参照してこの調整をより詳しく説明する。
【００４３】
図６及び図７は、ミラー１５４を並進運動させるとチャネルの通過帯域がどの様に変化するか示している。図６を参照すると、ミラー１５４は、ミラー１５０の表面の点Ｐが軸１６０の位置ｘ０に位置するように位置決めされている。光ビーム１７０は、軸１５８の位置ｙ０に位置するミラー１５４から相互作用域１７２ａで反射されて被反射ビーム１７４ａを生じさせる。相互作用域という用語は、反射面の、光ビームが反射される領域を指すことができる。
【００４４】
相互作用域は、軸１５６に平行な方向に測られる幅を有することができる。図示されている実施態様では、相互作用域１７２ａは幅ｕ０を有する。被反射ビーム１７４ａは通過帯域１７６ａをもたらす。一般に、大きな相互作用域幅は大きな通過帯域幅をもたらし、小さな相互作用域幅は小さな通過帯域幅をもたらす。
【００４５】
図７を参照すると、ミラー１５４は、点Ｐが軸１６０の位置ｘ１に位置するように軸１６０に沿って並進運動させられている。ビーム１７０は、ミラー１５４の軸１５８の位置ｙ１に存する相互作用域１７２ｂに当たって被反射ビーム１７４ｂを生じさせる。相互作用域１７２ｂは、相互作用域１７２ａの幅ｕ０より大きな幅ｕ１を有する。従って、被反射ビーム１７４ｂの通過帯域１７６ｂは被反射ビーム１７４ａの通過帯域１７６ａより大きい。
【００４６】
図５に戻って参照すると、部分１５０のマイクロミラー素子は、任意の適切な配置或いは構成の任意の適切なコンポーネントを含むことができる。マイクロミラー素子は通常はミラーと、このミラーの動きを制御するように動作し得るミラー・コントローラとを含む。一実施態様では、マイクロミラー素子は、メモリーセルから外に向かって配置された超小型電子機械システム（ＭＥＭＳ）セルを含む。例えば、マイクロミラー素子は、スタティックランダムアクセスメモリー（ＳＲＡＭ）セルの上に作られたモノリシックに集積されたＭＥＭＳ上部構造を含む。
【００４７】
メモリーセルは、反射装置のための制御回路を含むことができる。該制御回路は、ミラー１５４を動かす静電気力の生成に少なくとも部分的に貢献することのできる任意の適切な論理を含むことができる。該制御回路は、電源又はプロセッサから受け取られたデータに少なくとも部分的に基づいてミラー１５４を移動させることができる。この文書で使用されるとき、「プロセッサ」という用語は、入力を受け入れ、該入力を処理して所定の規則に従って出力を生じさせるように動作し得る任意の適切な装置を指す。
【００４８】
該ＭＥＭＳ層は、伝導層、ミラー支持層、及びミラー層などの層を含むことができる。該伝導層は、メモリーセルから外に向かって配置され、メモリーセルから信号を受信して該信号に従ってミラー１５４を動かす。該伝導層は、静的電極と伝導性ダクトとを含むことができる。静的電極は、ミラー１５４を動かす静電気力を生じさせる電圧を受け取るように動作し得る任意の適切な電極を含む。伝導性ダクトは静的電極をメモリーセルに電気的に結合させることができる。伝導層は、例えば、アルミニウム合金或いは他の適切な伝導性材料を含むことができる。
【００４９】
ミラー支持層は、ミラー１５４を支持して動かすように動作し得るコンポーネントを含む。例えば、ミラー支持層はヒンジ及びヨークを含むことができる。それらのヒンジは支持ポストにより支持され得、ヨークは該ヒンジによって吊るされ得る。該ヨークは、ヒンジの周りに動いてミラー１５４を傾けるように動作し得る任意の適切な形状を有する材料を含むことができる。ミラー層はミラー１５４を含む。ミラー１５４は、アルミニウムなどの任意の適切な反射性材料を含むことができる。
【００５０】
本発明の範囲から逸脱せずに部分１５０に対して改造、付加或いは省略を行うことができる。部分１５０のコンポーネントは、任意の適切なサイズ或いは形状を持つことができ、具体的な必要に応じて構成され、統合され或いは分離され得る。更に、部分１５０の動作は、より多くの、或いはより少数の、或いは他のコンポーネントにより実行され得る。
【００５１】
図８は、反射装置の他の実施態様の部分２００を示す線図である。図示されている実施態様では、部分２００は、ミラーの層２１０及び２１２を含む。層２１０は、光ビームが層２１２に到達する前に層２１０に到達するように層２１２から外に向かって配置され得る。層２１０はミラー２１４を含み、層２１２はミラー２１６を含む。光ビームの層２１２への到達は、層２１０のミラー２１４により反射されることによって、妨げられ得る。ミラー２１４及び２１６を、出力ポートを選択するために軸２１１に沿って回転させることができ、また、減衰調節のために軸２１３の周りに回転させることができる。
【００５２】
層２１０のミラー２１４は、実質的に図６のミラー１５４と同様であって良い。図示されている実施態様では、ミラー２１４は、辺２２０と底辺２２２とを有する三角形の形状を持つことができる。層２１２のミラー２１６は、層２１０を通過するビームを反射することのできる形状を持つことができる。図示されている実施態様では、ミラー２１６は、長い辺２２４と短い辺２２６とを有する実質的に長方形の形状を有する。長い辺２２４は軸２１３と実質的に平行であって良く、短い辺２２６は軸２１１に実質的に平行であって良い。一実施態様では、短い辺２２６は底辺２２２の長さと実質的に同じ長さを有することができる。辺２２４の長さは、ミラー２１４の三角形の高さと実質的に同じであって良い。
【００５３】
一実施態様では、チャネルの通過帯域を変更するために層２１０のミラー２１４を軸２３０と平行な方向に沿って並進運動させることができる。軸２３０に平行な方向に沿ってミラー２１４ａを移動させると、光ビーム２４０がミラー２１４に当たるところの相互作用域２３２が変化する。相互作用域２３２が変化すると、前記のように通過帯域が変化する。ミラー２１４ａを並進運動させると、光ビーム２４２がミラー２１６ａから反射されるところの相互作用域２３６のサイズも変化する。例えば、ミラー２１４ａを軸２３０に平行な正方向に動かせばミラー２１６ａの相互作用域２３６が小さくなり、ミラー２１４ａを軸２３０に平行な負方向に動かせばミラー２１６ａの相互作用域２３６が大きくなる。すなわち、ミラー２１４ａを動かすことによりミラー２１６ａの通過帯域サイズを変化させることができる。従って、層２１０のミラーを動かすことによってミラー２１４だけではなくてミラー２１６の通過帯域サイズも変化させることができる。
【００５４】
１つ以上のミラー２１６の相互作用域２３６が無くなる様にミラー２１４を軸２３０に平行な正方向に移動させることができる。従って、ミラー２１６により制御されるチャネルを削除するようにミラー２１４を並進運動させることができる。このプロセスに従って任意の適切な数のチャネルを削除することができる。例えば、１つのミラー２１６により制御される１つのチャネルを削除することができ、或いは複数のミラー２１６により制御される複数のチャネルを全て削除することができる。
【００５５】
本発明の範囲から逸脱せずに部分２００に対して改造、付加或いは省略を行うことができる。部分２００のコンポーネントは、任意の適切なサイズ或いは形状を持つことができ、具体的な必要に応じて構成され、統合され或いは分離され得る。更に、部分２００の動作は、より多くの、或いはより少数の、或いは他のコンポーネントにより実行され得る。
【００５６】
本発明の或る実施態様は１つ以上の技術的利点を提供することができる。一実施態様の技術的利点は、波長装置の反射装置が該波長装置のいろいろなチャネルのためにいろいろな通過帯域を持ち得ることであろう。いろいろなデータ転送速度に配慮していろいろな通過帯域を使用することができ、これはスペクトル効率を改善することができる。一実施態様の他の技術的利点は、反射装置を調整してチャネルの通過帯域を変更し得ることであろう。
【００５７】
この開示は一定の実施態様と、一般的に関連する方法との見地から記述されているが、該実施態様及び方法のいろいろな改変及び置換は当業者にとっては明白であろう。従って、実施例についての上の記述はこの開示を制限しない。
（付記１）
１つ以上の光チャネルを指向させるための装置であって：
該装置は１つ以上のマイクロミラー素子を含んでおり、各マイクロミラー素子は１つの光チャネルに関連付けられており：
各マイクロミラー素子はミラーを含んでおり：
このミラーは該ミラーの第１相互作用域で光を反射して、関連付けられている１つの光チャネルを指向させ、該第１相互作用域は該光チャネルのための第１通過帯域をもたらすように作用し得る第１の幅を有し；
このミラーは該ミラーの第２相互作用域で光を反射して該光チャネルを指向させ、該第２相互作用域は該光チャネルのための第２通過帯域をもたらすように作用し得る第２の幅を有し、該第２通過帯域は該第１通過帯域と異なり；
各マイクロミラー素子はミラー・コントローラを含んでおり：
このミラー・コントローラは、光が該ミラーの該第１相互作用域と相互作用するところの第１位置に該ミラーを位置決めし；
このミラー・コントローラは光が該ミラーの該第２相互作用域と相互作用するところの第２位置に該ミラーを位置決めする、装置。
（付記２）
各ミラーは高さと底辺とを有する実質的に二等辺三角形の形状を有し、該高さは該底辺より約５倍以上長い、付記１の装置。
（付記３）
該１つ以上のマイクロミラー素子は第１マイクロミラー素子及び第２マイクロミラー素子を更に含んでおり、該第１マイクロミラー素子は第１ミラー及び第１ミラー・コントローラを含み、該第２マイクロミラー素子は第２ミラー及び第２ミラー・コントローラを含み；
該第１ミラー・コントローラは、該第１ミラーを第１方向に沿って該第１位置から該第２位置へ並進運動させるように作用することができ；
該第２ミラー・コントローラは該第２ミラーを第２方向に沿って該第１位置から該第２位置へ並進運動させるように作用することができ、該第２方向は実質的に該第１方向と平行である、付記１の装置。
（付記４）
該１つ以上のマイクロミラー素子は複数の行を更に含み、各行は複数のマイクロミラー素子を含む、付記１の装置。
（付記５）
該１つ以上のマイクロミラー素子は、複数の第１層マイクロミラー素子を含む第１層を更に含んでおり；
該装置は複数の第２層マイクロミラー素子を含む第２層を更に含んでおり、光は該第２層と相互作用する前に該第１層と相互作用する、付記１の装置。
（付記６）
該１つ以上のマイクロミラー素子は複数の第１層マイクロミラー素子を含む第１層を更に含み、第１層マイクロミラー素子は実質的に三角形のミラーを含み；
該装置は複数の第２層マイクロミラー素子を含む第２層を更に含んでおり、第２層マイクロミラー素子は実質的に三角形のミラーを含み、光は該第２層と相互作用する前に該第１層と相互作用する、付記１の装置。
（付記７）
該１つ以上のマイクロミラー素子は複数の第１層マイクロミラー素子を含む第１層を更に含んでおり；
該装置は複数の第２層マイクロミラー素子を含む第２層を更に含んでおり、第２層マイクロミラー素子は第３相互作用域及び第４相互作用域を有するミラーを含み、光は該第２層と相互作用する前に該第１層と相互作用し；
第１層マイクロミラー素子のミラー・コントローラは該第１層マイクロミラー素子を該第１位置から該第２位置へ並進運動させるように更に動作することができ、該並進運動は光を該第３相互作用域から該第４相互作用域へ向ける、付記１の装置。
（付記８）
各ミラー・コントローラは更に：
該光チャネルを第１ポートに向ける第１ポート選択角度に該ミラーを位置させ；且つ
該光チャネルを該第１ポートとは異なる第２ポートに向ける第２ポート選択角度まで該ミラーをポート選択軸の周りに回転させるように動作することができる、付記１の装置。
（付記９）
各ミラー・コントローラは更に：
第１パワーを有する被反射光を生じさせる第１減衰角度に該ミラーを位置させ；且つ
該第１パワーとは異なる第２パワーを有する被反射光を生じさせる第２減衰角度まで該ミラーを減衰軸の周りに回転させるように動作し得る、付記１の装置。
（付記１０）
１つ以上の光チャネルを指向させる方法であって：
該方法は１つ以上のマイクロミラー素子から光を反射させるステップを含み、各マイクロミラー素子は１つの光チャネルと関連付けられており、各マイクロミラー素子はミラーを含み：
このミラーは該ミラーの第１相互作用域で光を反射して１つの関連する光チャネルを指向させるように作用することができ、該第１相互作用域は該光チャネルについて第１通過帯域を生じさせるように作用し得る第１幅を有し；且つ
該ミラーは該ミラーの第２相互作用域で光を反射して該光チャネルを指向させるように作用することができ、該第２相互作用域は該光チャネルについて第２通過帯域を生じさせるように作用し得る第２幅を有し、該第２通過帯域は該第１通過帯域とは異なり；
該方法は、特定のマイクロミラー素子の特定のミラーを、光がその特定のミラーの該第１相互作用域と相互作用するところの第１位置に位置決めするステップを含んでおり、該特定のミラーはミラー・コントローラを用いて位置決めされ；
該方法は、該特定のミラーを、光が該特定のミラーの該第２相互作用域と相互作用するところの第２位置に位置決めするステップを含む、方法。
（付記１１）
該１つ以上のマイクロミラー素子の各ミラーは高さと底辺とを有する実質的に二等辺三角形の形状を有し、該高さは該底辺より約５倍以上長い、付記１０の方法。
（付記１２）
該１つ以上のマイクロミラー素子は第１マイクロミラー素子及び第２マイクロミラー素子を更に含んでおり、該第１マイクロミラー素子は第１ミラー及び第１ミラー・コントローラを含み、該第２マイクロミラー素子は第２ミラー及び第２ミラー・コントローラを含み；
該方法は更に：
該第１ミラーを第１方向に沿って該第１位置から該第２位置に並進運動させるステップと；
該第２ミラーを第２方向に沿って該第１位置から該第２位置に並進運動させるステップとを更に含み、該第２方向は該第１方向と実質的に平行である、付記１０の方法。
（付記１３）
該１つ以上のマイクロミラー素子は複数の行を更に含み、各行は複数のマイクロミラー素子を含む、付記１０の方法。
（付記１４）
該方法は、該１つ以上のマイクロミラー素子を含む第１層から光を反射させるステップと；
複数の第２層マイクロミラー素子を含む第２層から光を反射させるステップとを更に含み、光は該第２層と相互作用する前に該第１層と相互作用する、付記１０の方法。
（付記１５）
該方法は、該１つ以上のマイクロミラー素子を含む第１層から光を反射させるステップを更に含み、該第１層のマイクロミラー素子は実質的に三角形の形状を有するミラーを含み；
該方法は、複数の第２層マイクロミラー素子を含む第２層から光を反射させるステップを更に含み、第２層マイクロミラー素子は実質的に三角形のミラーを含み、光は該第２層と相互作用する前に該第１層と相互作用する、付記１０の方法。
（付記１６）
該方法は、該１つ以上のマイクロミラー素子を含む第１層から光を反射させるステップを更に含み；
該方法は、複数の第２層マイクロミラー素子を含む第２層から光を反射させるステップを更に含み、第２層マイクロミラー素子は第３相互作用域及び第４相互作用域を有するミラーを含み、光は該第２層と相互作用する前に該第１層と相互作用し；
該１つ以上のマイクロミラー素子のうちの該特定のマイクロミラー素子の該特定のミラーを該第１位置から該第２位置に並進運動させるステップを更に含み、該並進運動は該光を該第３相互作用域から該第４相互作用域に指向させる、付記１０の方法。
（付記１７）
該光チャネルを第１ポートに指向させる第１ポート選択角度に該特定のミラーを位置決めするステップと；
該光チャネルを第２ポートに指向させるように該特定のミラーをポート選択軸の周りに第２ポート選択角度に回転させるステップを更に含む、付記１０の方法。
（付記１８）
第１パワーを有する被反射光を生じさせる第１減衰角度に該特定のミラーを位置させるステップと；
第２パワーを有する被反射光を生じさせる第２減衰角度に該特定のミラーを減衰軸の周りに回転させるステップとを更に含む、付記１０の方法。
（付記１９）
１つ以上の光チャネルを指向させるためのシステムであって：
該システムは１つ以上のマイクロミラー素子から光を反射させるための手段を含み、各マイクロミラー素子は１つの光チャネルと関連付けられており、各マイクロミラー素子は１つのミラーを含み：
このミラーは該ミラーの第１相互作用域で光を反射して関連する光チャネルを指向させるように作用することができ、該第１相互作用域は該光チャネルについて第１通過帯域を生じさせるように作用し得る幅を有し；且つ
該ミラーは該ミラーの第２相互作用域で光を反射して該光チャネルを指向させるように作用することができ、該第２相互作用域は該光チャネルについて第２通過帯域を生じさせるように作用し得る第２幅を有し、該第２通過帯域は該第１通過帯域とは異なり；
該システムは、特定のマイクロミラー素子の特定のミラーを、光が該ミラーの該第１相互作用域と相互作用するところの第１位置に位置決めするための手段を含んでおり、該特定のミラーはミラー・コントローラを用いて位置決めされ；
該システムは、該特定のミラーを、光が該特定のミラーの該第２相互作用域と相互作用するところの第２位置に位置決めするステップを含む、システム。
（付記２０）
１つ以上の光チャネルを指向させるための装置であって：
該装置は１つ以上のマイクロミラー素子を含む複数の第１層マイクロミラー素子を含む第１層を含んでおり、該１つ以上のマイクロミラー素子は更に複数の行を含み、各行は複数のマイクロミラー素子を含み、各マイクロミラー素子は１つの光チャネルと関連付けられており；
各マイクロミラー素子はミラーを含んでおり、該ミラーは１つの実質的に三角形の形を持っていて：
該ミラーは該ミラーの第１相互作用域で光を反射して、関連付けられている光チャネルを指向させるように作用することができ、該第１相互作用域は該光チャネルについて第１通過帯域を生じさせるように作用し得る第１幅を有し；
該ミラーは該ミラーの第２相互作用域で光を反射して該光チャネルを指向させるように作用することができ、該第２相互作用域は該光チャネルについて第２通過帯域を生じさせるように作用し得る第２幅を有し、該第２通過帯域は該第１通過帯域とは異なっており；
各マイクロミラー素子はミラー・コントローラを含んでおり、該ミラー・コントローラは：
該ミラーを、光が該ミラーの該第１相互作用域と相互作用するところの第１位置に位置決めし；
該ミラーを、光が該ミラーの該第２相互作用域と相互作用するところの第２位置に位置決めし；
該ミラーを、該光チャネルを第１ポートに指向させる第１ポート選択角度に位置決めし；
該光チャネルを該第１ポートとは異なる第２ポートに指向させるように該ミラーをポート選択軸の周りに第２ポート選択角度に回転させ；
第１パワーを有する被反射光を生じさせるように該ミラーを第１減衰角度に位置決めし；
該第１パワーとは異なる第２パワーを有する被反射光を生じさせるように該ミラーを減衰軸の周りに第２減衰角度に回転させるように動作することができ；
該装置は複数の第２層マイクロミラー素子を含む第２層を含んでおり、第２層マイクロミラー素子は、実質的に長方形の形を有すると共に第３相互作用域及び第４相互作用域を有するミラーを含んでおり、光は該第２層と相互作用する前に該第１層と相互作用し；
第１層マイクロミラー素子のミラー・コントローラは該第１層マイクロミラー素子を該第１位置から該第２位置に並進運動させるように更に動作することができ、該並進運動は該光を該第３相互作用域から該第４相互作用域に指向させ；
該第１層の該１つ以上のマイクロミラー素子は第１マイクロミラー素子と第２マイクロミラー素子とを更に含み、該第１マイクロミラー素子は第１ミラーと第１ミラー・コントローラとを含み、該第２マイクロミラー素子は第２ミラーと第２ミラー・コントローラとを含み；
該第１ミラー・コントローラは該第１ミラーを第１方向に沿って該第１位置から該第２位置に並進運動させるように動作することができ；
該第２ミラー・コントローラは、該第２ミラーを第２方向に沿って該第１位置から該第２位置に並進運動させるように動作することができ、該第２方向は該第１方向と実質的に平行である、装置。
（付記２１）
回転可能で、光を反射する幅が長手方向に変化する形状のミラーを有するミラー素子と、
該ミラー素子を平行移動させるミラーコントローラと
を備えたことを特徴とする光スイッチ。
（付記２２）
付記１において、該ミラー素子は光チャネルに関連付けられていることを特徴とする光スイッチ。
（付記２３）
回転可能で、光を反射する幅が長手方向に変化する形状のミラーを有する第１のミラー素子と、
回転可能で、光を反射する幅が長手方向に変化する形状のミラーを有する
第２のミラー素子と、
該第１と該第２のミラー素子を平行移動させるコントローラを備え、
該第１と該第２のミラー素子は隣接し、対向するよう設けられたことを特徴とする光スイッチ。
（付記２４）
回転可能で、光を反射する幅が長手方向に変化する形状のミラーを有する第１のミラー素子と、
回転可能で、光を反射する幅が長手方向に変化する形状のミラーを有する
第２のミラー素子と、
該第１と該第２のミラーを平行移動させるコントローラを備え、
該第１と該第２のミラーは隣接し、同一方向となるよう設けられたことを特徴とする光スイッチ。
【図面の簡単な説明】
【００５８】
【図１】パケットを送るためのリングを含むネットワークの一実施態様を示すブロック図。
【図２】図１のネットワークのノードで使用され得る光アド／ドロップノードの一実施態様を示す図
【図３】図２の光アド／ドロップノードに使用され得る波長選択スイッチの一実施態様を示す図
【図４】図２の光アド／ドロップノードに使用され得る波長ブロッカーの他の実施態様を示す図
【図５】反射装置の一実施態様の一部分を示す図である。
【図６】ミラーの並進運動がチャネルの通過帯域をどの様に変化させるかを示す図
【図７】ミラーの並進運動がチャネルの通過帯域をどの様に変化させるかを示す図
【図８】反射装置の他の実施態様の一部分を示す図
【符号の説明】
【００５９】
１０  ネットワーク
２４  アクセス装置
２８  ノード
１１８  第２収束装置
１２０  分散性装置
１５４ａ、ｂ、ｃ  ミラー
【図１】
2006178454.tif 000003
【図２】
2006178454.tif 000004
【図３】
2006178454.tif 000005
【図４】
2006178454.tif 000006
【図５】
2006178454.tif 000007
【図６】
2006178454.tif 000008
【図７】
2006178454.tif 000009
【図８】
2006178454.tif 000010